(57)【要約】【課題】省電力で温度をむらの少ない暖房便座を提供する。【解決手段】便座のベースとなる樹脂成形品の便座本体４の上面に真空断熱材５、面状発熱ヒータ６、薄膜の表面膜７を順次積層した暖房便座である。面状発熱ヒータ６を印刷したシートで真空断熱材５の外皮８を構成する。【選択図】        図１
2006204447.tif 000002
【特許請求の範囲】
【請求項１】
便座のベースとなる樹脂成形品の便座本体の上面に真空断熱材、面状発熱ヒータ、薄膜の表面膜を順次積層した暖房便座であって、面状発熱ヒータを印刷したシートで真空断熱材の外皮を構成したことを特徴とする暖房便座。
【請求項２】
便座のベースとなる樹脂成形品の便座本体の上面に真空断熱材、面状発熱ヒータ、薄膜の表面膜を順次積層した暖房便座であって、面状発熱ヒータの印刷を表面膜の裏側に行ったことを特徴とする暖房便座。
【請求項３】
略環状の便座本体の内周側の方が外周側より面状発熱ヒータの発熱量を大きく設定したことを特徴とする請求項１または請求項２記載の暖房便座。
【請求項４】
面状発熱ヒータを複数層に印刷して面状発熱ヒータの一部が表面膜の外側に露出する箇所を形成したことを特徴とする請求項１乃至請求項３のいずれかに記載の暖房便座。
【請求項５】
面状発熱ヒータの電気取り入れ口の位置を便座本体や真空断熱材や表面膜の位置変化の少ない箇所に配設したことを特徴とする請求項１乃至請求項４のいずれかに記載の暖房便座。
【発明の詳細な説明】
【技術分野】
【０００１】
本発明は、用便のために着座したときに臀部を暖める暖房便座に関するものである。
【背景技術】
【０００２】
図７に一般的な暖房便座装置の全体的な構造を示す。この暖房便座装置は、人体の局部の洗浄を行う機構を有する局部洗浄装置本体１と使用者が座るための便座２と便座２を覆うための便蓋３とで構成されていた。この便座２は便座上部２ａと便座下部２ｂとから構成されており、この便座上部２ａと便座下部２ｂとの間に熱源を配置してある。
【０００３】
便座上部２ａと便座下部２ｂとの間に熱源を配置して暖房便座を構成する場合、樹脂成形品の便座上部２ａの裏面に電熱線を這わせ、電熱線に通電するようになっている。この方式であると、電熱線を便座上部２ａの裏面に均等な間隔で配置しないと便座２に温度むらが発生し、使用者に不快感を与える。また電熱線は通電開始からある目標温度までの昇温に一般的に１０秒以上の時間を要し、結果として常に便座をある目標値の温度にするために通電しておく必要がある。
【０００４】
この問題点を解決すべく、ＰＴＣヒータのような面状発熱ヒータを発熱体として用いた暖房便座が提供されている（例えば、特許文献１、特許文献２参照）。この種の暖房便座は、便座本体をベースとし、人体接触側を表とすると、ベースの表面側に順に、断熱材と、ＰＣＴヒータのような面状発熱ヒータを印刷したシートと、表面膜とを積層するというように主に４層で形成されている。
【０００５】
この４層の各構成部品の役割を説明すると下記の通りである。断熱材は面状発熱ヒータで暖めた熱を人体に触れない裏側への移動を防止して表側に移動させるためのものである。ベースは便座の形を形成して便座に座った人の体重を支えるためのものである。面状発熱ヒータを印刷したシートは通電することによって熱を発生させて暖房便座としての機能を発揮させるためのものである。表面膜は面状発熱ヒータの保護と、電気絶縁と、表面の意匠性と、さらに人体と直接触れるところであるために人体の保護とのためである。特に電気絶縁に関しては法律で定められた厚さがあり、必ず守らなければならない。つまり、表面膜の厚さを厚くすると、電気的絶縁を十分に保つことができ、また安全に使用することができる。
【０００６】
しかし、便座の熱容量の増加により、単位面積当たりの昇温が小さくなり、多くの電力と時間を必要とする。ＰＴＣヒータのような面状発熱ヒータのメリットの一つが通電と同時に目標温度に達することであるので、この特長が生かされないということになる。
【特許文献１】特開平１０−３３５０５１号公報
【特許文献２】特開昭６４−３２８２６号公報
【発明の開示】
【発明が解決しようとする課題】
【０００７】
本発明は上記の従来の問題点に鑑みて発明したものであって、省電力で温度むらの少ない暖房便座を提供することを課題とするものである。
【課題を解決するための手段】
【０００８】
上記課題を解決するために本発明の請求項１の暖房便座は、便座のベースとなる樹脂成形品の便座本体４の上面に真空断熱材５、面状発熱ヒータ６、薄膜の表面膜７を順次積層した暖房便座であって、面状発熱ヒータ６を印刷したシートで真空断熱材５の外皮８を構成したことを特徴とする。
【０００９】
上記構成によれば、真空断熱材５の外皮にそのまま面状発熱ヒータ６を印刷することになり、従来のように断熱材と表面膜との間に面状発熱ヒータを印刷したシートを挟んでいたものに比べてこのシート分だけ省略して厚さを薄くできる。これにより余分な部材をなくしてコスト削減を行うことができる。また熱容量を少なくして昇温に時間を要さないようにでき、常に通電しておく必要がなくて省エネルギー化が図れる。また面状発熱ヒータ６にて加熱することにより温度むらをなくして快適に暖房できる。また真空断熱材５で断熱することで高い断熱性が得られてこの点でも昇温に要する時間を短縮することができる。
【００１０】
また本発明の請求項２の暖房便座は、便座のベースとなる樹脂成形品の便座本体４の上面に真空断熱材５、面状発熱ヒータ６、薄膜の表面膜７を順次積層した暖房便座であって、面状発熱ヒータ６の印刷を表面膜７の裏側に行ったことを特徴とする。
【００１１】
上記構成によれば、表面膜７の裏面に直接面状発熱ヒータ６を印刷することになり、従来のように断熱材と表面膜との間に面状発熱ヒータを印刷したシートを挟んでいたものに比べてこのシート分だけ省略して厚さを薄くできる。この場合も上記と同様にコスト削減を行うことができ、省エネルギー化を図ることができる。また面状発熱ヒータ６にて加熱することにより温度むらをなくして快適に暖房できる。また真空断熱材５で断熱することで高い断熱性が得られてこの点でも昇温に要する時間を短縮することができる。
【００１２】
また本発明の請求項３の暖房便座は、請求項１または請求項２において、略環状の便座本体４の内周側の方が外周側より面状発熱ヒータ６の発熱量を大きく設定したことを特徴とする。
【００１３】
便座に座っている時の人間の重心が環状の便座の内側であるために便座の内周側の方がより熱の変化を敏感に感じる。面状発熱ヒータ６を便座の全面に配設すると、電気を沢山消費しなければ短時間で昇温させることはできない。そこで人間が冷たいと感じなければよい程度の感覚で便座を暖めた方が電気代や材料費を安く抑えることができる。
【００１４】
また本発明の請求項４の暖房便座は、請求項１乃至請求項３のいずれかにおいて、面状発熱ヒータ６を複数層に印刷して面状発熱ヒータ６の一部が表面膜７の外側に露出する箇所を形成したことを特徴とする。この場合、面状発熱ヒータ６の電極を取り出す口を表面膜７の表面に設けることで電線１０を面状発熱ヒータ６に容易に配線することができる。
【００１５】
また本発明の請求項５の暖房便座は、請求項１乃至請求項４のいずれかにおいて、面状発熱ヒータ６の電気取り入れ口の位置を便座本体４や真空断熱材５や表面膜７の位置変化の少ない箇所に配設したことを特徴とする。電線１０を接続する部分で故障が頻発しやすいが、便座本体４や真空断熱材５や表面膜７の屈曲等を起こしにくい部分で上記のように電線１０を接続することで故障を抑えることができる。
【発明の効果】
【００１６】
本発明は叙述の如く構成されているので、従来のように断熱材と表面膜との間に面状発熱ヒータを印刷したシートを挟んでいたものに比べてこのシート分だけ省略して厚さを薄くできるものであって、これにより余分な部材をなくしてコスト削減を行うことができるという効果があり、また熱容量を少なくして昇温に時間を要さないようにでき、常に通電しておく必要がなくて省エネルギー化が図れるという効果があり、また面状発熱ヒータにて加熱することにより温度むらをなくして快適に暖房できるという効果があり、また真空断熱材で断熱することで高い断熱性が得られて昇温に要する時間を短縮することができるという効果がある。
【発明を実施するための最良の形態】
【００１７】
以下、本発明を添付図面に示す実施形態に基いて説明する。暖房便座は、図１、図２に示すようにベースとなる便座本体４と、便座本体４の上に積層した真空断熱材５と、真空断熱材５の上に積層したＰＴＣヒータのような面状発熱ヒータ６と、面状発熱ヒータ６の上に積層した薄膜の表面膜７とからなり、主に上記４層にて形成されている。便座本体４は樹脂成形品であり、便座本体４は環状または馬蹄形状等の略環状に形成されており、また便座本体４は必要に応じて軽量化のために内部が中空になる断面形状になっている。
【００１８】
真空断熱材５の構造は図３に示すようになっており、繊維体１１と特殊のアルミニウム箔の外皮８とで構成されており、内部に真空に近い箇所を作り、それにより熱の伝導を妨げて断熱の効果を生み出すようになっている。この真空断熱材５は便座本体４の上面側である表面の略全面に亙るように積層されて接着されている。この真空断熱材５の断熱性を高めるためには繊維体１１は均一な配向になるように配置してあることが好ましい。そのためにはアルミニム箔の外皮８は上下の２部品を接着するようになっている。
【００１９】
図１の実施の形態の例の場合、真空断熱材５のアルミニウム箔の外皮８にそのままＰＴＣヒータのような面状発熱ヒータ６を印刷してあり、面状発熱ヒータ６を印刷するためのシートが不要になっている。そしてこの面状発熱ヒータ６を印刷した外皮８の上に、樹脂フィルムのような薄膜の表面膜７を被覆してある。
【００２０】
図２の実施の形態の例の場合、薄膜の表面膜７の裏面にそのままＰＴＣヒータのような面状発熱ヒータ６を印刷してある。
【００２１】
上記いずれの実施の形態の例の場合も、面状発熱ヒータ６を印刷するためシートが不要になることにより部材を少なくしてコストダウンが図れる。また上記シートが不要になることにより薄くして熱容量を少なくすることができて昇温に時間を要さないようにでき、常に通電しておく必要がなくて省エネルギー化が図れる。また面状発熱ヒータ６にて加熱することにより温度むらをなくして快適に暖房できる。また真空断熱材５で断熱することで高い断熱性が得られてこの点でも昇温に要する時間を短縮することができる。
【００２２】
図１や図２の実施の形態の例のようにＰＴＣヒータのような面状発熱ヒータ６が印刷にて形成されるが、面状発熱ヒータ６を設けるとき略環状の便座本体４の内周側の方が略環状の便座本体４の外周側に比べて面状発熱ヒータ６の発熱量を大きくすることが好ましい。つまり、環状の便座本体４の内周と外周との間に中間に環状に中心線を引いたときの内周側を内周側半分とし、外周側を外周側半分としたとき、図４に示すように内周側半分の方が外周側半分に比べて面状発熱ヒータ６を印刷する面積が大きくなるようにしてある。
【００２３】
このようにすると、便座に座ったときに人間が熱の変化を敏感に感じる便座の内周側の発熱量を大きくでき、人が冷たいと感じなければよい程度の感覚で、便座を短時間で効果的に昇温させることができる。これにより要所を効果的に加熱して電気代を安く抑えることができ、また面状発熱ヒータ６を設ける面積も少なくすることができて材料費を安く抑えることができる。
【００２４】
図４の例では内周側半分と外周側半分との面状発熱ヒータ６の印刷面積を変えて内周側半部と外周側半分との発熱量を変えたが、マイコンその他で制御して内周側半分と外周側半分の温度を変える手段を設けることも好ましい。
【００２５】
上記のようにＰＣＴヒータのような面状発熱ヒータ６が印刷にて形成されるが、図５に示すように薄膜の表面膜７の一部に穴１２を明け、内部の面状発熱ヒータ６の一部が外面に現れるようにすることも好ましい。この場合、面状発熱ヒータ６を印刷するときに複数層印刷しており、面状発熱ヒータ６の一部が表面膜７の穴１２の部分に露出するようになっている。このようにすると、面状発熱ヒータ６の電極を取り出す口を表面膜７の表面に設けることができ、電線１０を面状発熱ヒータ６に容易に接続して配線をすることができる。
【００２６】
また図６に示すように便座本体４の両側（略環状の便座本体４の内周側及び外周側）に水平に少し張り出させた張り出し部１３を形成し、真空断熱材５の上下のアルミニウム箔の外皮８同士を接着した部分を張り出し部１３の上に配置し、張り出し部１３の上の外皮８にＰＴＣヒータのような面状発熱ヒータ６を印刷し、張り出し部１３の上の部分で表面膜７に設けた穴１２に面状発熱ヒータ６の一部が露出する部分を形成し、この穴１２に面状発熱ヒータ６の一部が露出する部分を電気取り入れ口とすることも好ましい。このようにすると、面状発熱ヒータ６の電気取り入れ口の位置を便座本体４や真空断熱材５や表面膜７の位置の変化の少ない箇所に配設することができ、この部分に電線１０を接続することができる。つまり、電線１０を接続する部分で故障が頻発しやすいが、便座本体４や真空断熱材５や表面膜７の屈曲等を起こしにくい部分で上記のように電線１０を接続することで故障を抑えることができる。
【図面の簡単な説明】
【００２７】
【図１】本発明の実施の形態の一例の暖房便座の断面図であって、（ａ）は概略断面図、（ｂ）は（ａ）のＡ部を拡大せる断面図である。
【図２】同上の実施の形態の他の例の暖房便座の要部を拡大せる断面図である。
【図３】同上の真空断熱材の断面図である。
【図４】同上の実施の形態の他の例の暖房便座を説明する平面図である。
【図５】同上の実施の形態の他の例の暖房便座の要部を拡大せる断面図である。
【図６】（ａ）は同上の実施の形態の他の例の暖房便座の断面図、（ｂ）は（ａ）のＢ部拡大断面図である。
【図７】一般的な暖房便座装置の全体を示す斜視図である。
【符号の説明】
【００２８】
４  便座本体  
５  真空断熱材
６  面状発熱ヒータ
７  表面膜
８  外皮
【図１】
2006204447.tif 000003
【図２】
2006204447.tif 000004
【図３】
2006204447.tif 000005
【図４】
2006204447.tif 000006
【図５】
2006204447.tif 000007
【図６】
2006204447.tif 000008
【図７】
2006204447.tif 000009